(57)【要約】【課題】  防犯システムの防犯端末機器または制御機器等と通信により入出力情報を送受信する防犯システム用増設入出力装置を、少ない設置台数で防犯システムに必要な信号の入出力の設定を容易に行うことができる防犯システム用増設入出力装置を提供することを目的とする。【解決手段】  複数組の端子（１１（Ａｎ，Ｂｎ））を備えた防犯システム用増設入出力装置３に、端子の組毎に対応して備えられ、端子と入出力制御線８ｎ−１、８ｎ−２、・・・を介して接続された外部機器（１、９、１３）に信号を出力する出力回路として動作するかまたは前記外部機器が出力した信号を入力する入力回路として動作するように回路動作を切り替える入出力切替回路１０と、該入出力切替回路の回路動作モードを設定する設定部（２０、１４）とを備えた。【選択図】  図２
2010016537.tif 000002
【特許請求の範囲】
【請求項１】
接続線を介して外部機器が接続される端子と、該端子に接続される外部機器に対して信号を出力する出力回路として動作するか、または前記外部機器が出力する信号を入力する入力回路として動作する入出力切替回路と、該入出力切替回路の回路動作モードを設定する設定部とを備えたことを特徴とする防犯システム用増設入出力装置。
【請求項２】
前記入出力切替回路の出力を無電圧接点出力としたことを特徴とする請求項１に記載の防犯システム用増設入出力装置。
【発明の詳細な説明】
【技術分野】
【０００１】
本発明は、防犯システムの防犯端末機器または制御機器等と通信により入出力情報を送受信する防犯システム用増設入出力装置に関する。
【背景技術】
【０００２】
従来、防犯システムは、ビルやテナント設備等の警戒区域毎に設置された電気錠、ドアセンサあるいはパッシブセンサなどの各種防犯センサ（防犯機器）と、防犯機器を点検または機器状態等を表示する点検装置等から構成されている。さらに、防犯機器の検出信号を受信して警備センター等へ通報（発信）する制御装置から構成されている。
【０００３】
また、防犯システムは、各警戒区域に設置された照明（警報灯）や電気錠などの設備機器を防犯システムに関連して動作させる。あるいは防犯システムの情報を火災報知設備、非常放送設備、エレベータ設備などの他のシステムへ移報出力する（または他設備から防犯システムへ移報入力する）複合システムもある。
【０００４】
このような防犯システムを構築する場合、警戒区域の特性や増改築あるいは顧客の要望などにより防犯システムを構成する各種機器および設備機器等の設計は多種多様であるため、これらの事情に柔軟に対応すべく増設用入力装置や増設用出力装置が用いられている（例えば特許文献１）。
【特許文献１】特開２００１−２４３５７３号
【発明の開示】
【発明が解決しようとする課題】
【０００５】
しかしながら、特許文献１においては、機器増設の際に入出力（入出力端子）がともに必要である場合、増設用入力装置および増設用出力装置をそれぞれ設置しなければならず、設置台数が増えて費用上および設置スペース上の問題があった。さらに施工する際、実際に施工が開始されないと防犯機器・設備機器の入出力数（入出力端子数）が不明であり、増設用出力装置および／または増設用入力装置の手配が面倒かつ停滞するため非効率かつ不経済となる場合もあった。
【０００６】
したがって、本発明は、少ない設置台数で防犯システムに必要な信号の入出力の設定を容易に行うことができる防犯システム用増設入出力装置を提供することを目的とする。
【課題を解決するための手段】
【０００７】
上記目的を達成するために、請求項１記載の発明の防犯システム用増設入出力装置は、接続線を介して外部機器が接続される端子と、該端子に接続される外部機器に対して信号を出力する出力回路として動作するか、または前記外部機器が出力する信号を入力する入力回路として動作する入出力切替回路と、該入出力切替回路の回路動作モードを設定する設定部とを備えたことを特徴とする。
【０００８】
また、請求項２記載の発明は、請求項１記載の防犯システム用増設入出力装置において、前記入出力切替回路の出力を無電圧接点出力としたことを特徴とする。
【発明の効果】
【０００９】
本発明によれば、少ない設置台数で防犯システムに必要な信号の入出力の設定を容易に行うことができ、防犯システムの導入・増改築の際のコスト削減かつ省スペース化を実現することができる。
【００１０】
また、入出力切替回路からの出力を無電圧接点出力により電気的に無極性化したため、防犯システム用増設入出力装置と出力先の外部機器（設備機器または制御装置）とのアイソレーション化がなされる上、極性を気にして配線する必要が無くなる。
【発明を実施するための最良の形態】
【００１１】
以下、本発明を実施するための最良の形態を図面に基づいて説明する。
（全体の構成）
図１は、本発明の防犯システム１００を示す図である。図２は、防犯システム１００に用いる防犯システム用増設入出力装置３（３ａ）を示す回路構成図である。また図３は、入出力切替回路１２の要部回路図である。
【００１２】
図１に示される本発明の防犯システム１００はビルやテナントなどに設置されるものであり、１又は複数の警戒区域に設置されたドアセンサやパッシブセンサなどの各種の防犯センサ（以下、防犯機器４）と、防犯機器４と伝送線（以下、第２伝送線６）を介して接続され、各種防犯機器４を点検するとともに点検状態を表示する点検装置２と、点検装置２と伝送線（以下、第１伝送線５）を介して防犯機器４の検出信号等の防犯機器４の状態を監視制御するとともに警備センターへ通報する制御装置１から構成される。
【００１３】
また、防犯システム１００は、建物内の照明設備（警報灯９）やエレベータ設備機器１３などの他システムの設備機器等との連動動作（移報入力および／または移報出力）を行う。このため、防犯システムは１００は、制御装置１から出力された警備入力信号を入出力制御線８ａ−１（または８ｂ−１）を介してを入力し、さらに出力制御線８ａ−２および８ｂ−２を介して警報灯９やエレベータ設備機器（以下、他設備機器１３）に警備出力信号を出力する防犯システム用増設入出力装置３（３ａ、３ｂ）から構成されている。なお、防犯システム用増設入出力装置３（３ａ、３ｂ）は、後述する入出力設定により警報灯９や他設備機器１３からの異常信号等を受けて、自己判断もしくは点検装置２から第３伝送線７を介して送出される制御命令により、制御装置１へ移報出力することもできる。
【００１４】
（防犯システム用増設入出力装置の構成）
次に、本発明の防犯システム用増設入出力装置３（３ａ）の構成について説明する。
図２に示されるように、防犯システム用増設入出力装置３（３ａ、３ｂ、…）は、制御装置１と入出力制御線８ａ−１を介して接続される一組の端子からなる端子部１１ａ−１および設備機器（警報灯９）と入出力制御線８ａ−２を介して接続される一組の端子からなる端子部１１ａ−２などから複数組の端子部１１ａ−１、・・１１ａ−ｎを備えており、さらに端子部１１ａ−１、・・１１ａ−ｎを信号入力用端子部とするか出力用端子部とするかの入出力設定に応じて入力回路または出力回路として動作する入出力切替回路１０ａ−１、１０ａ−２、・・１０ａ−ｎが各端子部に対応して設けられている。
【００１５】
また、防犯システム用増設入出力装置３（３ａ）は、入出力切替回路１０ａ−１等をコマンド制御により回路動作設定するとともに装置全体の各種制御を行う制御部（ＣＰＵ）２０と、記憶部としてのＲＯＭ１８およびワークエリアとしてのＲＡＭ１９と、入出力切替回路１０ａ−１等をスイッチ操作により回路動作設定する（入出力設定する）操作部１４と、外部電源から電源供給を受け、所定電圧（Ｖｃｃ）に変圧して回路系に供給する電源部１７と、点検装置２または他の防犯システム用増設入出力装置３（３ｂ）と伝送線（以下、第３伝送線７）を介して信号の入出力情報を送受信する送受信部１６から構成される。
なお、点検装置２（中継装置）−増設入出力装置間の通信（第３伝送線７間の通信）は、長距離通信可能なシリアル通信を行っている。
【００１６】
（入出力設定の設定方法と動作）
次に、図１から図３を用いて本発明の実施例における防犯システム用増設入出力装置３の入出力部１２の入出力設定について説明する。
（入力設定）
操作部１４には、入出力切替回路１０の数に対応した汎用のディップスイッチ等が設けられており、入出力切替回路１０ａ−１（スイッチ番号１とする（図示せず））を入力回路として動作させる場合には、番号１のスイッチをＯＮ設定にする。制御部２０は、自身のpinI１をＨｉｇｈからＬｏｗの出力にして、入出力切替回路１０ａ−１のＴｒ１をＯＮ制御する。この際、ＬＥＤ１も点灯制御され、入力設定を示す。また、入力設定時に入力切替部ＩＰＤ内においてＳおよびｄが短絡する。したがって、本実施例の場合、操作部１４および制御部２０が本発明の設定部となる。
【００１７】
この入力設定状態において、端子Ａおよび端子Ｂには入出力制御線８ａ−１が接続されており、その先に制御装置１が接続されているので、制御装置１の警備設定制御により制御装置１が入出力制御線８ａ−１をリレー制御等により接点を閉じると、入出力切替回路１０ａ−１および入出力制御線８ａ−１が閉回路を形成し、フォトトランジスタＰＣ１がＯＮして制御部２０のpinI２に信号入力する。すなわち、端子部１１ａ−１および入出力切替回路１０ａ−１は、制御装置１から警備入力信号を入力する。
なお、図３のＤ１は出力との誤配線を防止するダイオードである。また、Ｒ１は、制御装置１などの外部機器から入出力制御線８ａ−１に出力設定用の電圧が誤出力されても増設入出力装置３ａが機器破壊されないための保護素子である。
【００１８】
（出力設定）
入出力切替回路１０ａ−１（スイッチ番号１）を出力回路として動作させる場合には、番号１のスイッチをＯＦＦ設定する。制御部２０は、自身のpinI１の出力制御を行わず（Ｈｉｇｈのまま）、入出力切替回路１０ａ−１のＴｒ１をＯＦＦ制御する。この際、ＬＥＤ１も消灯しており、出力設定を示す。さらに、制御部２０は、pinO１ryをＯＮ／ＯＦＦ出力することにより図示しないリレー（アレイ）（すなわち、図３の接点Ｒｙ）をＯＮ／ＯＦＦ制御する。
【００１９】
この出力設定状態において、端子Ａおよび端子Ｂには入出力制御線８ａ−１が接続されており、その先に制御装置１が接続されているので、この場合には、増設入出力装置３ａのＲｙのＯＮ／ＯＦＦ動作により、制御装置１が、入出力制御線８ａ−１と入出力制御線８ａ−１を接続した回路の開閉動作を認識し、増設入出力装置３ａから制御装置１に対して移報入力があったと判断する。
【００２０】
ここで、本発明の増設入出力装置３は、入出力切替回路１０ａ−１および端子部１１ａ−１を出力設定した場合、リレー接点Ｒｙによる無電圧接点出力を行うので、無極性かつ増設入出力装置３ａと制御装置１がアイソレーション化がなされる上、極性を気にして配線する必要が無くなる。
【００２１】
なお、防犯システム用増設入出力装置３の入出力設定は、点検装置２にパソコンなどのデータ設定ツールを接続し、第３伝送線７を介してシリアル通信によりデータをロードしてもよい。この場合、制御部２０が設定部となる
【００２２】
また、上記実施例においては、防犯システム用増設入出力装置３ａと制御装置１との入出力設定について説明したが、防犯システム用増設入出力装置３ａのその他の端子部に接続される警報灯９や他設備機器１３（エレベータ設備機器）などに応じて移報入力または移報出力を同様に設定することができる。
【００２３】
以上のように、防犯システムに本発明の増設入出力装置３を用いることにより、一般的に点検装置２は防犯機器４および制御装置１間の情報を中継することが主要な機能であって接点出力機能を備えていないことから、多くの出力をしたい時に廉価かつ簡便にこのような問題を解消することができる。
また、点検装置２と防犯システム用増設入出力装置３はシリアル通信なので高速であり、距離も離すことも可能となり、点検装置２と防犯システム用増設入出力装置３間の配線も入出力の数だけ入出力制御線８を配線する必要がない。
【産業上の利用可能性】
【００２４】
本発明は、上記実施の形態に限定されることはなく適宜変更可能である。例えば、火災報知設備の防排煙端末用中継器としても応用可能である。
【図面の簡単な説明】
【００２５】
【図１】本発明に係る防犯システム１００を示す図である。
【図２】図１の防犯システムの増設入出力装置３の概略回路構成を示す図である。
【図３】図２の防犯システム用増設入出力装置３の入出力部１２の概略回路図である。
【符号の説明】
【００２６】
１００  防犯システム
１    制御装置
２    点検装置（中継装置）
３ａ，３ｂ，…，３ｎ    増設入出力装置
４    防犯端末機器
５    第１伝送線（点検装置（中継装置）−制御装置通信用）
６    第２伝送線（防犯端末機器−点検装置（中継装置）通信用）
７    第３伝送線（点検装置（中継装置）−増設入出力装置間通信用）
８ａ−１，８ａ−２，８ａ−ｎ    入出力制御線（増設入出力装置−制御装置間）
８ｂ−１，８ｂ−２，８ｂ−ｎ    入出力制御線（増設入出力装置−他設備機器間）
９    設備機器（警報灯）
１０ａ−１、１０ａ−２、…１０ａ−ｎ    入出力切替回路
１１ａ−１、１１ａ−２、…１１ａ−ｎ    端子部
１２    入出力部
１３    他設備機器（エレベータ設備機器）
１４    操作部（設定スイッチ）
１６    送受信部（第３伝送線接続用、シリアル通信）
２０    制御部（ＣＰＵ）
Ａｎ，Ｂｎ  端子
【図１】
2010016537.tif 000003
【図２】
2010016537.tif 000004
【図３】
2010016537.tif 000005